(57)【特許請求の範囲】
【請求項１】
湯船側吹出口（５）と洗い場側吹出口（６）とを備えるケーシング（２）内に、ヒートポンプ式冷凍システムを配置し、この冷凍システムの吸熱側熱交換器と放熱側熱交換器に向かってケーシング外の空気（ＲＡ）を流通させる一方、このケーシング外空気（ＲＡ）を上記吸熱側熱交換器で冷却して成る冷気（ＣＡ）を上記湯船側及び洗い場側吹出口（５）（６）の一方（５）から吹き出すと共に、上記ケーシング外空気（ＲＡ）を上記放熱側熱交換器で加熱して成る暖気（ＨＡ）を上記湯船側及び洗い場側吹出口（５）（６）の他方（６）から吹き出すように構成したことを特徴とする浴室用エアコン。
【請求項２】
湯船側吹出口（５）と洗い場側吹出口（６）とを備えるケーシング（２）内に、吸熱側ヒートシンク（９）と放熱側ヒートシンク（１０）とを備えるペルチェユニット（３）を配置し、このペルチェユニット（３）に向かってケーシング外の空気（ＲＡ）を流通させる一方、このケーシング外空気（ＲＡ）を上記吸熱側ヒートシンク（９）で冷却して成る冷気（ＣＡ）を上記湯船側及び洗い場側吹出口（５）（６）の一方（５）から吹き出すと共に、上記ケーシング外空気（ＲＡ）を上記放熱側ヒートシンク（１０）で加熱して成る暖気（ＨＡ）を上記湯船側及び洗い場側吹出口（５）（６）の他方（６）から吹き出すように構成したことを特徴とする浴室用エアコン。
【請求項３】
上記冷気（ＣＡ）又は暖気（ＨＡ）の吹出し方向を、浴室利用者の居る方向と浴室利用者以外の方向とに切り換える風向調節手段を備えることを特徴とする請求項１又は請求項２の浴室用エアコン。
【請求項４】
浴室利用者が湯船（７）側と洗い場（８）側のどちらに居るかを検出する検出手段と、この検出手段の検出結果に基づいて上記冷気（ＣＡ）及び暖気（ＨＡ）を吹き出す吹出口を切り換える切換手段とを備え、上記冷気（ＣＡ）及び暖気（ＨＡ）のいずれかが浴室利用者に向けて吹き出すようにしたことを特徴とする請求項１〜請求項３のいずれかの浴室用エアコン。
【請求項５】
上記暖気（ＨＡ）の流通経路に当該暖気（ＨＡ）を加熱する電気式ヒータを配置したことを特徴とする請求項１〜請求項４の浴室用エアコン。
【請求項６】
上記暖気（ＨＡ）を浴室利用者に向けて吹き出す送風態様で運転する場合に、当該暖気（ＨＡ）の温度が所定の温度未満であるときは、上記風向調節手段を切り換えて当該暖気（ＨＡ）が浴室利用者以外の方向に吹き出すように制御する運転制御手段を備えることを特徴とする請求項３の浴室用エアコン。
【発明の詳細な説明】
【０００１】
【発明の属する技術分野】
この発明は、浴室内に設置され、浴室内を浴室利用者にとって快適な空間に調整することができる浴室用エアコンに関するものである。
【０００２】
【従来の技術】
浴室内の空気調和として要求されているものとしては、冬期での暖房や、通年での乾燥などがある。この要求に応えるものとして、電気ヒータ方式、ヒートポンプ・セパレート方式、ヒートポンプ・ダクト方式などを採用した浴室用エアコンが提案され、また市販されている（例えば、特開平１０−８５４９９号公報）。
【０００３】
【発明が解決しようとする課題】
電気ヒータ方式の浴室用エアコンでは、ヒートポンプ方式のものと比較した場合に、消費電力が大きいという欠点と共に、冷房運転はできないため快適性の面で劣るという欠点がある。また、ヒートポンプ・セパレート方式の浴室用エアコンでは、室外機及び室内機の裾付工事や冷媒配管の配管工事が必要であり、取付作業が面倒で手間がかかるという欠点がある。さらに、ヒートポンプ・ダクト方式の浴室用エアコンでは、ダクト工事が必要であり、取付作業が面倒で手間がかかるという欠点と共に、浴室からの高湿度の戻り空気によってダクト内に結露が生じるという欠点もある。
【０００４】
この発明は上記従来の欠点を解決するためになされたものであり、その目的は、浴室内の快適性を向上すると共に、簡単に取り付けることができる浴室用エアコンを提供することにある。
【０００５】
【課題を解決するための手段】
そこで請求項１の浴室用エアコンは、湯船側吹出口５と洗い場側吹出口６とを備えるケーシング２内に、ヒートポンプ式冷凍システムを配置し、この冷凍システムの吸熱側熱交換器と放熱側熱交換器に向かってケーシング外の空気ＲＡを流通させる一方、このケーシング外空気ＲＡを上記吸熱側熱交換器で冷却して成る冷気ＣＡを上記湯船側及び洗い場側吹出口５、６の一方５から吹き出すと共に、上記ケーシング外空気ＲＡを上記放熱側熱交換器で加熱して成る暖気ＨＡを上記湯船側及び洗い場側吹出口５、６の他方６から吹き出すように構成したことを特徴としている。
【０００６】
上記請求項１の浴室用エアコンでは、ヒートポンプ式冷凍システムの構成要素をすべて同一ケーシング２内に配置して一体的に構成しているので、配管工事やダクト工事が不要となる。従って、浴室内の例えば壁面４に取り付けるだけでよいので、簡単に取り付けることができる。また、浴室内の空気ＲＡを冷却及び加熱して得た冷気ＣＡ及び暖気ＨＡを再び浴室内に吹き出すようにしているので、浴室内全体としての冷房や暖房といった空気調和はできないけれども、湯船７に入っている利用者又は洗い場８に居る利用者に冷気ＣＡ又は暖気ＨＡを直接吹き付けることによって、利用者の体感する快適性を充分に向上させることができる。これによって、浴室の利用快適性を向上することができる。さらに、浴室内の空気ＲＡを冷却した際には除湿が行われることになるので、暖気ＨＡの吹出しと除湿とによって浴室内を乾燥させることができる。
【０００７】
また請求項２の浴室用エアコンは、湯船側吹出口５と洗い場側吹出口６とを備えるケーシング２内に、吸熱側ヒートシンク９と放熱側ヒートシンク１０とを備えるペルチェユニット３を配置し、このペルチェユニット３に向かってケーシング外の空気ＲＡを流通させる一方、このケーシング外空気ＲＡを上記吸熱側ヒートシンク９で冷却して成る冷気ＣＡを上記湯船側及び洗い場側吹出口５、６の一方５から吹き出すと共に、上記ケーシング外空気ＲＡを上記放熱側ヒートシンク１０で加熱して成る暖気ＨＡを上記湯船側及び洗い場側吹出口５、６の他方６から吹き出すように構成したことを特徴としている。
【０００８】
上記請求項２の浴室用エアコンでは、ペルチェユニット３を用いているので、冷媒や熱交換器などを用いる場合と比較して、構成の簡素化及び小型化を図ることができると共に、配管工事やダクト工事が不要となる。従って、浴室内の例えば壁面４に取り付けるだけでよいので、簡単に取り付けることができる。また、浴室内の空気ＲＡを冷却及び加熱して得た冷気ＣＡ及び暖気ＨＡを再び浴室内に吹き出すようにしているので、浴室内全体としての冷房や暖房といった空気調和はできないけれども、湯船７に入っている利用者又は洗い場８に居る利用者に冷気ＣＡ又は暖気ＨＡを直接吹き付けることによって、利用者の体感する快適性を充分に向上させることができる。これによって、浴室の利用快適性を向上することができる。さらに、浴室内の空気ＲＡを冷却した際には除湿が行われることになるので、暖気ＨＡの吹出しと除湿とによって浴室内を乾燥させることができる。
【０００９】
さらに請求項３の浴室用エアコンは、上記冷気ＣＡ又は暖気ＨＡの吹出し方向を、浴室利用者の居る方向と浴室利用者以外の方向とに切り換える風向調節手段を備えることを特徴としている。
【００１０】
上記請求項３の浴室用エアコンでは、冷気ＣＡ又は暖気ＨＡを浴室利用者に吹き付けるか、あるいは吹き付けないようにするかを切り換えることができるので、浴室利用者の好みに応じた送風態様を選択することができる。例えば、冬期において特に寒い時期には暖気ＨＡのみを利用者に吹き付けて、冷気ＣＡは吹き付けないようにすればよく、逆に夏期において特に暑い時期には、冷気ＣＡのみを利用者に吹き付けて、暖気ＨＡは吹き付けないようにすればよい。これによって、利用者の体感する快適性をさらに向上させることができる。
【００１１】
請求項４の浴室用エアコンは、浴室利用者が湯船７側と洗い場８側のどちらに居るかを検出する検出手段と、この検出手段の検出結果に基づいて上記冷気ＣＡ及び暖気ＨＡを吹き出す吹出口を切り換える切換手段とを備え、上記冷気ＣＡ及び暖気ＨＡのいずれかが浴室利用者に向けて吹き出すようにしたことを特徴としている。
【００１２】
上記請求項４の浴室用エアコンでは、浴室利用者が洗い場８から湯船７へあるいは湯船７から洗い場８へ移動した場合でも浴室利用者には常に冷気ＣＡ及び暖気ＨＡのいずれかが吹き付けられる。例えば、冬期であれば暖気ＨＡを、夏期であれば冷気ＣＡを浴室利用者に吹き付けるようにする。これによって、利用者の体感する快適性をさらに向上させることができる。
【００１３】
請求項５の浴室用エアコンは、上記暖気ＨＡの流通経路に当該暖気ＨＡを加熱する電気式ヒータを配置したことを特徴としている。
【００１４】
上記請求項５の浴室用エアコンでは、電気式ヒータで暖気ＨＡを加熱してから浴室内に吹き出すことができる。従って、例えば浴室内温度が低い場合や、浴室用エアコンの起動直後、あるいは暖気ＨＡと冷気ＣＡの吹出口の切換え直後の場合のように、暖気ＨＡの温度が低いときに電気式ヒータで加熱するようにすれば、浴室利用者に温風（加熱された暖気ＨＡ）を吹き付けることができるので、冷風（温度の低い暖気ＨＡ）が吹き付けられて浴室利用者が不快に感じることを防止できる。これによって、浴室利用者の体感する快適性を向上させることができる。
【００１５】
請求項６の浴室用エアコンは、上記暖気ＨＡを浴室利用者に向けて吹き出す送風態様で運転する場合に、当該暖気ＨＡの温度が所定の温度未満であるときは、上記風向調節手段を切り換えて当該暖気ＨＡが浴室利用者以外の方向に吹き出すように制御する運転制御手段を備えることを特徴としている。
【００１６】
上記請求項６の浴室用エアコンでは、暖気ＨＡを浴室利用者に向けて吹き出す送風態様で運転する場合に、暖気ＨＡの温度が低いときは浴室利用者に暖気ＨＡが直接吹き付けないようにして、浴室利用者の周囲を暖めるようにする。これによって、冷風（温度の低い暖気ＨＡ）が吹き付けられて浴室利用者が不快に感じることを防止できるので、浴室利用者の体感する快適性を向上させることができる。
【００１７】
【発明の実施の形態】
次に、この発明の浴室用エアコンの具体的な実施の形態について、図面を参照しつつ詳細に説明する。図１は、本発明の一実施の形態である浴室用エアコン１の概略的構成を示す断面図であり、図２は浴室用エアコン１の取付状態を示す斜視図である。
【００１８】
浴室用エアコン１は、図２に示すように、平面形状が略台形となるケーシング２内にペルチェユニット３を配置して構成され、浴室壁面４に取り付けられている。ケーシング２は、正面に湯船側吹出口５を有すると共に、左側面に洗い場側吹出口６を有する。従って、浴室用エアコン１を湯船７側の浴室壁面４に取り付けることによって、湯船側吹出口５が概ね湯船７側に向き、洗い場側吹出口６が洗い場８に向くことになる。
【００１９】
ペルチェユニット３は、図１に示すように、一対のヒートシンク９、１０との間にペルチェモジュール１１を挟装して成り、両ヒートシンク９、１０のそれぞれが吸熱器又は放熱器として機能するものである。各ヒートシンク９、１０は、互いに相対面するように並置された複数のプレートフィン９ａ…９ａ、１０ａ…１０ａを平板状のベース板９ｂ、１０ｂに略垂直に立設してそれぞれ構成されている。
【００２０】
ところで、ペルチェユニット３は、ペルチェモジュール１１への通電方向を切り換えることによって、吸熱器及び放熱器として機能するヒートシンクの位置を切り換えることができる。例えば、ペルチェモジュール１１に特定方向の通電を行うと、ヒートシンク９が吸熱器として機能すると共に、ヒートシンク１０が放熱器として機能し、この場合はヒートシンク９による温調空気が冷気ＣＡとなり、ヒートシンク１０による温調空気が暖気ＨＡとなる。一方、ペルチェモジュール１１に特定方向とは逆方向の通電を行うと、ヒートシンク９が放熱器として機能すると共に、ヒートシンク１０が吸熱器として機能し、この場合はヒートシンク９による温調空気が暖気ＨＡとなり、ヒートシンク１０による温調空気が冷気ＣＡとなる。尚、図面においては、暖気ＨＡを斜線を付した矢印で表すものとする。
【００２１】
またケーシング２には、例えばその上面に吸気口１２が形成されており、この吸気口１２から送風機１３によって吸い込まれた浴室内空気ＲＡは、図示しない空気通路によってペルチェユニット３に導かれる。そして、ヒートシンク９で冷却又は加熱された温調空気ＣＡ又はＨＡは、図示しない空気通路によって湯船側吹出口５に導かれて、湯船７側に向けて吹き出される。一方、ヒートシンク１０で加熱又は冷却された温調空気ＨＡ又はＣＡは、図示しない空気通路によって洗い場側吹出口６に導かれて、洗い場８側に吹き出される。
【００２２】
また、湯船側吹出口５及び洗い場側吹出口６には、それぞれ風向調節手段（図示せず）が設けられている。風向調節手段は、高さ方向に並んで配置された複数枚の水平羽根と、幅方向に並んで配置された複数枚の垂直羽根とを備える。従って、温調空気ＣＡ、ＨＡは、水平羽根を上に向ければ上方向に、下に向ければ下方向に、また垂直羽根を左に向ければ左方向に、右に向ければ右方向に吹き出すことになる。
【００２３】
さらに、浴室用エアコン１は、マイクロコンピュータなどで構成される運転制御手段（図示せず）を備える。この運転制御手段は、浴室利用者が操作する操作部（図示せず）からの操作信号などに応答して、ペルチェユニット３、送風機１３、風向調節手段などを制御して、後述する各種の運転モードを実行する。
【００２４】
次に、浴室用エアコン１の運転状態を説明する。図２は、通常運転モードでの送風態様を示す斜視図である。通常運転モードでは、湯船側吹出口５からは冷気ＣＡを吹き出させると共に、洗い場側吹出口６からは暖気ＨＡを吹き出させる。これによって、洗い場８に居る利用者には暖気ＨＡが吹き付けられるので、利用者が湯冷めすることを防止できる。一方、湯船７に入っている利用者には冷気ＣＡが吹き付けられるので、利用者は程好い清涼感を体感することができ、露天風呂に入っているような雰囲気を味わうことができる。また、顔や頭部に冷気ＣＡがあたることによって利用者はのぼせることなく長時間湯船７に入っていられるため、体の芯まで充分に暖めることができ、健康的な入浴が可能となる。
【００２５】
ところで、上記通常運転モードでは、浴室内空気ＲＡをペルチェユニット３で冷却して冷気ＣＡを得ているけれども、この冷却の際には同時に除湿も行われている。従って、通常運転モードは、浴室乾燥モードでもある。そこで、入浴後に浴室用エアコン１を浴室乾燥モードとして運転すれば、除湿と暖気ＨＡの吹出しとによって浴室内を乾燥させることができる。これによって、カビの繁殖を抑制して、浴室を清潔に保つことができる。また、洗濯物を浴室で乾かすことができるので、浴室の利用範囲が拡大される。
【００２６】
尚、浴室乾燥モードでは利用者の体感を考慮する必要はないため、ペルチェモジュール１１に最大電流を流して最大能力で機能させ、冷却、即ち除湿を効果的に行うようにする。また、冷却によって生じた凝縮水（ドレン水）は、ドレンホース１４を通して洗い場８に排水すれば、洗い場８の床に設けられた排水口から浴室外に排出させることができる。さらに、浴室乾燥モードでは、暖気ＨＡ及び冷気ＣＡの吹出口は制限されるものではないため、図２の送風態様とは逆に、湯船側吹出口５から暖気ＨＡを吹き出させると共に、洗い場側吹出口６から冷気ＣＡを吹き出させるようにしてもよい。
【００２７】
図３は、通常運転モード下の他の送風態様を示す斜視図である。この送風態様では、冷気ＣＡ及び暖気ＨＡのいずれかを利用者に直接吹き付けないようにしている。例えば、真冬に湯船７側が寒い時は、上記風向調節手段を調節して図３（ａ）に示すように冷気ＣＡを上方に向けて吹き出させ、利用者に直接吹き付けないようにする。これによって、利用者は寒さを感じることはなく、快適な入浴が可能となる。また、真夏に洗い場８が暑い時は、図３（ｂ）に示すように暖気ＨＡを上方に向けて吹き出させ、利用者に直接吹き付けないようにする。これによって、利用者は暑さを感じることはなく、快適な入浴が可能となる。
【００２８】
図４は、追従運転モードでの送風態様を示す斜視図である。追従運転モードとは、利用者が湯船７側と洗い場８側のどちらに居るかを検出し、この検出結果に基づいて冷気ＣＡ及び暖気ＨＡを吹き出す吹出口を切り換えて、冷気ＣＡ及び暖気ＨＡのいずれかを常に利用者に向けて吹き出すようにする運転モードである。利用者が湯船７側と洗い場８側のどちらに居るかを検出する検出手段は、利用者が自ら操作する切換スイッチや超音波センサなどで実現される。また、冷気ＣＡ及び暖気ＨＡを吹き出す吹出口を切り換える切換手段は、ペルチェユニット３を制御する上記運転制御手段で実現される。即ち、ペルチェモジュール１１に供給する電流の向きを切り換えることによって、２つの吹出口５、６から吹き出す温調空気の種類を切り換えることができる。
【００２９】
例えば、真冬に浴室全体が寒い時は、図４（ａ）に示すように、利用者が洗い場８に居るときは洗い場側吹出口６から暖気ＨＡを吹き出させ、利用者が湯船７に入っているときは湯船側吹出口５から暖気ＨＡを吹き出させる。これによって、利用者は浴室内のどこに居ても寒さを感じることはなく、快適な入浴が可能となる。また、真夏に浴室全体が暑い時は、図４（ｂ）に示すように、利用者が洗い場８に居るときは洗い場側吹出口６から冷気ＣＡを吹き出させ、利用者が湯船７に入っているときは湯船側吹出口５から冷気ＣＡを吹き出させる。これによって、利用者は浴室内のどこに居ても暑さを感じることはなく、快適な入浴が可能となる。
【００３０】
以上のように本実施の形態によれば、ペルチェユニット３を用いているので、冷媒や熱交換器などを用いる場合と比較して、構成の簡素化及び小型化を図ることができると共に、配管工事やダクト工事が不要となる。従って、浴室壁面４に取り付けるだけでよいので、簡単に取り付けることができる。
【００３１】
また、浴室内の空気ＲＡを冷却及び加熱して得た冷気ＣＡ及び暖気ＨＡを再び浴室内に吹き出すようにしているので、浴室内全体としての冷房や暖房といった空気調和はできないけれども、利用者に冷気ＣＡ又は暖気ＨＡを直接吹き付けることによって、利用者の体感する快適性を充分に向上させることができる。さらに、利用者の好みや季節に応じて最適な送風態様を選択することができるので、さらに快適性を向上させることができる。
【００３２】
また、浴室内を乾燥させることができるので、カビの繁殖を抑制して浴室を清潔に保つことができる。さらに、浴室を洗濯物の乾燥に使用することができるので、浴室の利用範囲が拡大される。
【００３３】
以上にこの発明の具体的な実施の形態について説明したが、この発明は上記実施形態に限定されるものではなく、この発明の範囲内で種々変更して実施することができる。例えば、上記実施の形態ではケーシング２内にペルチェユニット３を配置して暖気ＨＡ及び冷気ＣＡを生成したけれども、ケーシング２内にヒートポンプ式冷凍システムを配置し、この冷凍システムの吸熱側熱交換器と放熱側熱交換器とを用いて暖気ＨＡ及び冷気ＣＡを生成するようにしてもよい。ヒートポンプ式冷凍システムは、通常、冷媒が循環するように、圧縮機と凝縮器（放熱側熱交換器）と減圧機構と蒸発器（吸熱側熱交換器）とを接続して成る冷媒回路を含んで構成されるので、ペルチェユニット３を用いた場合に比べて浴室用エアコンの構成は大きくなるけれども、上記実施の形態と同様の運転モードを実行することができる。例えば、追従運転モードでは冷気ＣＡ及び暖気ＨＡを吹き出す吹出口を切り換える必要があるが、これは上記冷媒回路を流れる冷媒の向きを切り換えることによって、２つの吹出口５、６から吹き出す温調空気の種類を切り換えることができる。従って、上記実施の形態と同様の効果が得られる。
【００３４】
ところで、上記の冷媒を用いたヒートポンプ式冷凍システムにおいては、起動してから、あるいは冷媒の流れる向きを切り換えてから定常状態での運転が行われるまでには一定時間が必要とされる。そして、過渡状態である期間では、正常な熱交換が行われないため、暖気ＨＡの温度は低く、冷気ＣＡの温度は高くなる。そのため、暖気ＨＡを浴室利用者に向けて吹き出す送風態様で運転する場合には、冷風（温度の低い暖気ＨＡ）が浴室利用者に吹き付けられるので、浴室利用者は不快に感じてしまうことがある。このような事態は、冬季に行う通常運転モード（図３（ａ）参照）と、冬季に行う追従運転モード（図４（ａ）参照）とにおいて起こりやすい。
【００３５】
そこで、上記事態に対応するためには、暖気ＨＡの流通経路に電気式ヒータを配置して、暖気ＨＡの温度が低いときは上記ヒータで加熱してから浴室に吹き出すようにすればよい。ここで、暖気ＨＡの流通経路とは、熱交換器から吹出口５、６までの間の空気通路である。電気式ヒータによる暖気ＨＡの加熱は、浴室用エアコンの起動時又は冷媒の流れる方向の切換時から所定の時間（定常状態での運転に達するまでに要する時間）が経過するまで常時行うようにしてもよいし、あるいは暖気ＨＡの温度を温度センサで測定し、所定の温度未満であるときに行うようにしてもよい。これによって、冷風（温度の低い暖気ＨＡ）が吹き付けられた浴室利用者が不快に感じることを防止できるので、浴室利用者の体感する快適性を向上させることができる。
【００３６】
また、電気式ヒータによる暖気ＨＡの加熱に代えて、暖気ＨＡの温度が所定の温度未満であるときは、風向調節手段を調節して暖気ＨＡが浴室利用者以外の方向に吹き出すようにして、浴室利用者の周囲を暖めるようにしてもよい。この場合も、加熱する場合と同様の効果が得られる。
【００３７】
尚、上述した暖気ＨＡの加熱又は風向調節は、ペルチェユニット３を用いた浴室用エアコン１で行ってもよいことはもちろんである。
【００３８】
【発明の効果】
以上のように請求項１又請求項２の浴室用エアコンによれば、同一ケーシング内に空調に必要な構成要素をすべて配置して一体的に構成したので、配管工事やダクト工事などの大掛りな工事が不要となり、簡単に取り付けることができる。
【００３９】
また、利用者に冷気又は暖気を直接吹き付けることによって、利用者の体感する快適性を充分に向上させることができる。例えば、洗い場に居る利用者に暖気を吹き付ければ、利用者が湯冷めすることを防止できる。一方、湯船に入っている利用者に冷気を吹き付ければ、利用者は程好い清涼感を体感することができ、露天風呂に入っているような雰囲気を味わうことができる。また、顔や頭部に冷気があたることによって利用者はのぼせることなく長時間入浴が可能となる。このように、浴室の利用快適性を向上することができる。
【００４０】
さらに、浴室内空気の冷却に伴う除湿と暖気の吹出しとによって浴室内を乾燥させることができるので、カビの繁殖を抑制して浴室を清潔に保つことができる。また、洗濯物を浴室で乾かすことができるので、浴室の利用範囲が拡大される。
【００４１】
また請求項２の浴室用エアコンによれば、ペルチェユニットを用いることによって、冷媒回路を用いる場合に比べて構成の簡素化及び小型化を図ることができる。
【００４２】
さらに請求項３の浴室用エアコンによれば、浴室利用者の好みに応じた送風態様（冷気又は暖気を吹き付けるか、吹き付けないか）を選択することができるので、利用者の体感する快適性をさらに向上させることができる。
【００４３】
請求項４の浴室用エアコンによれば、浴室利用者には常に冷気又は暖気が吹き付けられるので、浴室利用者の体感する快適性をさらに向上することができる。
【００４４】
請求項５又は請求項６の浴室用エアコンによれば、冷風（温度の低い暖気）が吹き付けられて浴室利用者が不快に感じることを防止できるので、浴室利用者の体感する快適性を向上させることができる。
【図面の簡単な説明】
【図１】本発明の一実施の形態である浴室用エアコンの概略的構成を示す断面略図である。
【図２】上記浴室用エアコンの通常運転モードでの送風態様を示す斜視図である。
【図３】上記通常運転モード下での他の送風態様を示す斜視図である。
【図４】上記浴室用エアコンの追従運転モードでの送風態様を示す斜視図である。
【符号の説明】
１  浴室用エアコン
２  ケーシング
３  ペルチェユニット
５  湯船側吹出口
６  洗い場側吹出口
９  ヒートシンク
１０  ヒートシンク
ＲＡ  浴室内空気
ＣＡ  冷気
ＨＡ  暖気
【図１】
0004003340.tif 000002
【図２】
0004003340.tif 000003
【図３】
0004003340.tif 000004
【図４】
0004003340.tif 000005